(57)【特許請求の範囲】
【請求項１】
互いが組立・分解自在である細長い複数本の構成部材で構成されており、
前記細長い複数本の構成部材のうちの一部の構成部材である複数本の基枠部構成部材の長手方向の両端部には、係合部が設けられており、これらの係合部同士の係合によって、多角形状に形成されている基枠部と、
前記細長い複数本の構成部材のうちの残りの構成部材である複数本の支柱部構成部材の長手方向の一端部が、前記基枠部の各角部に係合していることで、前記基枠部から上方に起立している支柱部と、
を有することを特徴とする太鼓用架台。
【請求項２】
請求項１に記載の太鼓用架台において、
前記基枠部の下方には、上部にネジ部が設けられているキャスタが設けられており、
前記基枠部構成部材の係合部は、前記基枠部構成部材の厚さ方向の一方の側に凹部が存在していることで、厚さが他の部位の半分になっており、
前記基枠部構成部材の係合部には、前記基枠部構成部材の厚さ方向で前記係合部を貫通している貫通孔が設けられており、
前記支柱部構成部材の長手方向の一端部には、前記キャスタのネジ部に螺合しているネジ部が設けられており、
１本の前記基枠部構成部材の長手方向の一の端部に形成されている係合部の凹部に、他の１本の前記基枠部構成部材の長手方向の一の端部に形成されている係合部が入り込んで、前記多角形状の基枠部の１つの角部になっており、この角部が複数存在することで、前記基枠部が多角形状になっており、
前記角部では、前記１本の基枠部構成部材の貫通孔と前記他の１本の基枠部構成部材の貫通孔とが連通しており、
前記キャスタのネジ部もしくは前記支柱部構成部材のネジ部が、前記各角部の連通している貫通孔を貫通して、前記キャスタのネジ部と前記支柱部構成部材のネジ部とがお互いに螺合していることで、前記キャスタと前記支柱部構成部材とによって、前記各角部で、前記基枠部構成部材の係合部と他の前記基枠部構成部材の係合部とが、締め付け状態になっていることを特徴とする太鼓用架台。
【請求項３】
請求項１または請求項２に記載の太鼓用架台において、
前記各基枠部構成部材は、設置する太鼓のサイズに応じて、長手方向の寸法が異なったものが選択されるように構成されていることを特徴とする太鼓用架台。
【発明の詳細な説明】
【技術分野】
【０００１】
本発明は、太鼓用架台に係り、特に、容易に組立てをし、また、分解することができるものに関する。
【背景技術】
【０００２】
従来、太鼓用架台として、基枠に複数本の支柱を立設し、各支柱間に太鼓収容空間を設け、各支柱の上端部に係止溝を設けたものが知られている（たとえば、特許文献１参照）。
【０００３】
そして、帯状の支持部材の一端部を太鼓の掛け止め部材に止め、帯状の支持部材の他端部を、支柱の係止溝に止めることで、楽器収容空間内に太鼓を設置している。
【先行技術文献】
【特許文献】
【０００４】
【特許文献１】特開２００６−３４９８８０号公報
【発明の概要】
【発明が解決しようとする課題】
【０００５】
ところで、従来の太鼓用架台では、太鼓の設置および設置されている太鼓の撤去は、容易であるが、従来の太鼓用架台自体は容易には分解することができないので、搬送時や収納時等の非使用時にかさばってしまうという問題がある。
【０００６】
本発明は、上記問題点に鑑みてなされたものであり、太鼓の設置および設置されている太鼓の撤去が容易であるとともに、搬送時や収納時等の非使用時にかさばらない太鼓用架台を提供することを目的とする。
【課題を解決するための手段】
【０００７】
請求項１に記載の発明は、互いが組立・分解自在である細長い複数本の構成部材で構成されており、前記細長い複数本の構成部材のうちの一部の構成部材である複数本の基枠部構成部材の長手方向の両端部には、係合部が設けられており、これらの係合部同士の係合によって、多角形状に形成されている基枠部と、前記細長い複数本の構成部材のうちの残りの構成部材である複数本の支柱部構成部材の長手方向の一端部が、前記基枠部の各角部に係合していることで、前記基枠部から上方に起立している支柱部とを有する太鼓用架台である。
【０００９】
請求項２に記載の発明は、請求項１に記載の太鼓用架台において、前記基枠部の下方には、上部にネジ部が設けられているキャスタが設けられており、前記基枠部構成部材の係合部は、前記基枠部構成部材の厚さ方向の一方の側に凹部が存在していることで、厚さが他の部位の半分になっており、前記基枠部構成部材の係合部には、前記基枠部構成部材の厚さ方向で前記係合部を貫通している貫通孔が設けられており、前記支柱部構成部材の長手方向の一端部には、前記キャスタのネジ部に螺合しているネジ部が設けられており、１本の前記基枠部構成部材の長手方向の一の端部に形成されている係合部の凹部に、他の１本の前記基枠部構成部材の長手方向の一の端部に形成されている係合部が入り込んで、前記多角形状の基枠部の１つの角部になっており、この角部が複数存在することで、前記基枠部が多角形状になっており、前記角部では、前記１本の基枠部構成部材の貫通孔と前記他の１本の基枠部構成部材の貫通孔とが連通しており、前記キャスタのネジ部もしくは前記支柱部構成部材のネジ部が、前記各角部の連通している貫通孔を貫通して、前記キャスタのネジ部と前記支柱部構成部材のネジ部とがお互いに螺合していることで、前記キャスタと前記支柱部構成部材とによって、前記各角部で、前記基枠部構成部材の係合部と他の前記基枠部構成部材の係合部とが、締め付け状態になっている太鼓用架台である。
【００１０】
請求項３に記載の発明は、請求項１または請求項２に記載の太鼓用架台において、前記各基枠部構成部材は、設置する太鼓のサイズに応じて、長手方向の寸法が異なったものが選択されるように構成されている太鼓用架台である。
【発明の効果】
【００１１】
本発明によれば、太鼓の設置および設置されている太鼓の撤去が容易であるとともに、搬送時や収納時等の非使用時にかさばらない太鼓用架台を提供することができるという効果を奏する。
【図面の簡単な説明】
【００１２】
【図１】太鼓が設置されている本発明の実施形態に係る太鼓用架台の斜視図である。
【図２】本発明の実施形態に係る太鼓用架台の正面図である。
【図３】本発明の実施形態に係る太鼓用架台の平面図であり、図２におけるＩＩＩ矢視図である。
【図４】本発明の実施形態に係る太鼓用架台の底面図であり、図２におけるＩＶ矢視図である。
【図５】本発明の実施形態に係る太鼓用架台の側面図であり、図２におけるＶ矢視図である。
【図６】本発明の実施形態に係る太鼓用架台の背面図であり、図５におけるＶＩ矢視図である。
【図７】図２におけるＶＩＩ−ＶＩＩ断面を示す図である。
【図８】本発明の実施形態に係る太鼓用架台の基枠部構成部材を示す図であり、（ｂ）は（ａ）におけるＸＩＩＩＢ矢視図である。
【図９】本発明の実施形態に係る太鼓用架台の下側支柱部構成部材示す図であり、（ｂ）は（ａ）におけるＩＸＢ矢視図であり、（ｃ）は（ａ）におけるＩＸＣ−ＩＸＣ断面を示す図である。
【図１０】本発明の実施形態に係る太鼓用架台の上側支柱部構成部材示す図であり、（ｂ）は（ａ）におけるＸＢ矢視図であり、（ｃ）は（ａ）におけるＸＣ矢視図である。
【図１１】本発明の実施形態に係る太鼓用架台に使用されるベルトを示す図であり、（ｂ）は（ａ）におけるＸＩＢ矢視図である。
【発明を実施するための形態】
【００１３】
本発明の実施形態に係る太鼓用架台１は、図１等で示すように、太鼓３を設置（載置）して使用するものであり、図１〜図７で示すように、細長い複数本の構成部材（たとえば直線状の柱形の構成部材）５，７で構成されている。各構成部材５，７は、お互いが組立・分解自在になっている。
【００１４】
各構成部材５，７は、お互いを係合させてお互いの位置決めをしてある状態で、ネジ等の締結部材を用いて各構成部材５，７同士を締め付けることで、また、締結部材を用いることに代えてもしくは加えて、一方の構成部材に他方の構成部材を嵌合させることで、容易に組み立てることができ、また、組み立てた状態から、各構成部材５，７への分解も容易に行うことができるようになっている。
【００１５】
各構成部材５，７が、分解がされた状態では、各構成部材５，７は、１本ずつ分離された状態で存在することになる。
【００１６】
そして、太鼓３が設置されるとき（使用時）には組み立てられ、太鼓３が設置されていない搬送時や保管時等の不使用時には分解されるようになっている。
【００１７】
太鼓用架台１は、基枠部９と支柱部１１とを備えて構成されている。
【００１８】
基枠部９は、基枠部構成部材５で構成されている。基枠部構成部材５は、上述した細長い複数本の構成部材のうちの一部の構成部材で構成されている。なお、基枠部構成部材５は、複数本用いられている。
【００１９】
また、基枠部構成部材５の長手方向の両端部のそれぞれには、係合部１３が設けられており、基枠部９は、これらの係合部１３同士を係合することによって組立てがされて、多角形状（正多角形の辺状；正多角形な環状）に形成される（組立てられる）ようになっている。
【００２０】
支柱部１１は、支柱部構成部材７で構成されている。支柱部構成部材７は、上述した細長い複数本の構成部材のうちの残りの構成部材で構成されている。なお、支柱部構成部材７は、複数本用いられている。
【００２１】
また、支柱部構成部材７の長手方向の一端部（下端部）のそれぞれが、基枠部９の各角部１５のそれぞれに係合して組立てられたときに、支柱部１１は、基枠部９から上方に起立している。
【００２２】
太鼓３は、ベルト１７（図１、図１１参照）を介して支柱部１１に支持されることで、太鼓用架台１に設置されるようになっている。太鼓３が太鼓用架台１に設置された状態では、太鼓３は、基枠部９と支柱部１１とから離れ、基枠部９の上方であって複数本の支柱部構成部材７の内側に位置している。また、太鼓３の上側の部位は、支柱部１１よりも上方に突出している。
【００２３】
基枠部９の下方には、キャスタ（車輪４７を備えた移動用部品）１９が設けられている。キャスタ１９は、図７等で示すように、この上部にネジ部２３が設けられている（たとえば、オスネジ部２３が上方に突出して設けられている）。
【００２４】
基枠部構成部材５は、図８等で示すように、四角柱状に形成されており、四角柱の高さの方向が長手方向になっている。各基枠部構成部材５は、お互いが同形状に形成されている。
【００２５】
ここで、基枠部構成部材５の長手方向（四角柱の高さ方向に相当する方向）に直交する所定の一方向を基枠部構成部材５の幅方向とし、基枠部構成部材５の長手方向および基枠部構成部材５の幅方向に直交する他一方向を基枠部構成部材５の厚さ方向とする。
【００２６】
基枠部構成部材５の長手方向の両端部に形成されている係合部１３は、基枠部構成部材５の厚さ方向の一方の側に凹部２５が存在していることで（切り欠き２５が設けられていることで）、厚さが、他の部位（基枠部構成部材５の係合部１３を除く長手方向の中間の部位）の半分（１／２）になっている（図８（ｂ）参照）。
【００２７】
基枠部構成部材５の係合部１３についてさらに説明する。係合部１３を構成するための凹部２５は、図８等で示すように、基枠部構成部材５の長手方向の一方の端部では基枠部構成部材５の厚さ方向の一方の側に存在しており、基枠部構成部材５の長手方向の他方の端部では基枠部構成部材５の厚さ方向の他方の側に存在している。
【００２８】
基枠部構成部材５の長手方向の両端部に形成されている係合部１３のそれぞれには、貫通孔（たとえば円形状の貫通孔）２７が設けられている。貫通孔２７は、基枠部構成部材５の厚さ方向で係合部１３を貫通している。
【００２９】
支柱部構成部材７は、図２や図３等で示すように、正八角柱状や円柱状等の柱状に形成されており、正八角柱や円柱の高さの方向が長手方向になっている。
【００３０】
支柱部構成部材７の長手方向の一端部には、キャスタ１９のネジ部２３に螺合しているネジ部（たとえば、メスネジ部）２９が設けられている（図７等参照）。
【００３１】
基枠部９では、図１等で示すように、１本の基枠部構成部材５の長手方向の一の端部に形成されている係合部１３の凹部（薄肉の係合部１３を形成している凹部）２５に、他の１本の基枠部構成部材５の長手方向の一の端部に形成されている係合部１３が入り込んで（入り込んで嵌り）、多角形状（正多角形の辺状；正多角形な環状）の基枠部９の１つの角部１５になっており、この角部１５が複数存在することで、基枠部９が多角形状になっている（図１、図３等参照）。
【００３２】
角部１５では、図７等で示すように、１本の基枠部構成部材５の貫通孔２７と他の１本の基枠部構成部材５の貫通孔２７とが、お互いが重なって連通している。
【００３３】
そして、図７等で示すように、キャスタ１９のネジ部２３が、各角部１５の連通している貫通孔２７を貫通して、キャスタ１９のネジ部２３と支柱部構成部材７のネジ部２９とがお互いに螺合していることで、キャスタ１９と支柱部構成部材７とによって、各角部１５で、基枠部構成部材５の係合部１３と他の基枠部構成部材５の係合部１３とが、締め付け状態になっており、基枠部構成部材５と支柱部構成部材７とキャスタ１９とが一体化している。
【００３４】
なお、上記説明では、キャスタ１９のネジ部２３がオスネジで構成されており、支柱部構成部材７のネジ部２９がメスネジで構成されているが、キャスタ１９のネジ部２３をメスネジで構成し、支柱部構成部材７のネジ部２９をオスネジで構成してもよい。
【００３５】
そして、支柱部構成部材７のネジ部２９が、各角部１５の連通している貫通孔２７を貫通して、キャスタ１９のネジ部２３と支柱部構成部材７のネジ部２９とがお互いに螺合していることで、複数本の基枠部構成部材５と複数本の支柱部構成部材７と複数個のキャスタ１９とが一体化するようにしてもよい。
【００３６】
なお、基枠部構成部材５や支柱部構成部材７が組み立てられて太鼓用架台１が形成されたときには、基枠部構成部材５の厚さ方向が上下方向になっており、支柱部構成部材７の長手方向が上下方向になっている。
【００３７】
また、基枠部９だけの状態を横方向から見ると、図２や図５等で示すように、上面と下面とが突出物が非存在である平面状になっており、角部１５では、図７等で示すように、１本の基枠部構成部材５の係合部１３の上に他の１本の基枠部構成部材５の係合部１３が重なっている。
【００３８】
基枠部９を上下方向から見ると、図３や図４等で示すように、所定の幅の（基枠部構成部材５の幅寸法を備えた）辺部で囲まれた多角形状（たとえば正多角形状）に形成されている。また、各角部１５では、尖った部位を無くすために、基枠部構成部材５の長手方向の両端部が円弧状に丸められている。
【００３９】
支柱部構成部材７は、図１、図２等で示すように、この長手方向の中央部で２分割されるように構成されている。すなわち、図９、図１０で示すように、支柱部構成部材７は、下側支柱部構成部材３１と上側支柱部構成部材３３とに分解されるようになっている。これにより、分解したときにおける支柱部構成部材７の長さを短くしている。
【００４０】
分解したときにおける１本の基枠部構成部材５の長さと１本の下側支柱部構成部材３１の長さと１本の上側支柱部構成部材３３の長さとは、お互いがほぼ等しくなっているか、もしくは、長さの比が、たとえば、１：２の範囲内におさまっている。
【００４１】
なお、１本の基枠部構成部材５の長さ（長手方向の寸法）を「１」とすると、下側支柱部構成部材３１の長さや上側支柱部構成部材３３の長さが、「０．７〜１．４」の範囲内に収まっていることが望ましい。
【００４２】
また、下側支柱部構成部材３１の上端部と上側支柱部構成部材３３の下端部とがお互いに嵌合されることで、下側支柱部構成部材３１と上側支柱部構成部材３３とが組立てられて、支柱部構成部材７が形成されるようになっている。
【００４３】
ここで、太鼓用架台１について、さらに具体的に説明する。
【００４４】
基枠部９は、３本の基枠部構成部材５（５Ａ，５Ｂ，５Ｃ）で正三角の辺状に形成されている。支柱部１１は、３本の支柱部構成部材７（３本の下側支柱部構成部材３１と３本の上側支柱部構成部材３３）で構成されている。
【００４５】
基枠部構成部材５は、木材で構成されており、上述したように、長手方向に対して直交する平面が矩形状である柱状になっている。ただし、長手方向の両端部には、図８等で示すように、係合部１３が形成されており、また、貫通孔２７が形成されている。また、長手方向の両端部には、基枠部９の角部１５を丸めるための円弧状の部位が設けられている。
【００４６】
基枠部構成部材５は、この厚さ方向から見ると、図８（ａ）で示すように、斜辺３５が下底３７に対して６０°の角度（斜辺が上底３９に対して１２０°の角度）である等脚台形状になっている。ただし、等脚台形の上底３９や下底３７の延伸方向が基枠部構成部材５の長手方向になっているので、等脚台形の上底３９や下底３７の長さ寸法の値は、等脚台形の斜辺３５の長さ寸法の値に比べて、相当に大きくなっている。
【００４７】
基枠部構成部材５をこの厚さ方向から見ると、等脚台形の下底３７とこの両端の一対の斜辺３５とは、基枠部９の角部１５を丸めるため円弧状の部位を間にしてつながっている。
【００４８】
また、基枠部構成部材５をこの厚さ方向から見ると、基枠部構成部材５の長手方向の一方の端部の係合部１３（１３Ａ）は、基枠部構成部材５の長手方向の一方の斜辺３５（３５Ａ）と、この一方の斜辺３５Ａに平行な直線４１（４１Ａ）との間に形成されている。
【００４９】
一方の斜辺３５Ａに平行な直線４１Ａは、一方の斜辺３５Ａから、基枠部構成部材５の長手方向の他方の端部側に、基枠部構成部材５の幅寸法の値Ｂ１と等しい値Ｌ１だけ離れている。
【００５０】
また、一方の端部の係合部１３Ａを形成している凹部２５は、基枠部構成部材５の厚さ方向の一方の側（図８（ａ）での紙面の奥側）に形成されている。
【００５１】
基枠部構成部材５をこの厚さ方向から見ると、図８（ａ）で示すように、基枠部構成部材５の長手方向の他方の端部の係合部１３Ｂは、一方の端部の係合部１３Ａに対して、基枠部構成部材５の厚さ方向を除外すると、対称に配置されている。
【００５２】
すなわち、基枠部構成部材５をこの厚さ方向から見ると、基枠部構成部材５の長手方向の他方の端部の係合部１３Ｂは、基枠部構成部材５の長手方向の他方の斜辺３５（３５Ｂ）と、この他方の斜辺３５Ｂに平行な直線４１（４１Ｂ）との間に形成されている。他方の斜辺３５Ｂに平行な直線４１Ｂは、他方の斜辺３５Ｂから、基枠部構成部材５の長手方向の一方の端部側に、基枠部構成部材５の幅寸法の値Ｂ１と等しい値Ｌ１だけ離れている。
【００５３】
ただし、基枠部構成部材５の長手方向の他方の端部の係合部１３Ｂを形成している凹部２５は、基枠部構成部材５の厚さ方向の他方の側（紙面の手前側）に形成されている。
【００５４】
基枠部構成部材５の長手方向の一方の端部に存在している係合部１３Ａと、基枠部構成部材５の長手方向の他方の端部に存在している凹部（係合部１３Ｂを形成している凹部）２５とは、お互いが同形状に形成されている。
【００５５】
そして、基枠部９を組み立てるべく、基枠部構成部材５の長手方向の一方の端部の係合部１３Ａを、他の基枠部構成部材５の長手方向の他方の端部の凹部２５に係合させると、上記一方の端部の係合部１３Ａが上記他方の端部の凹部２５に、間隙や凸部等を形成することなく、ちょうどぴったりと嵌り込むようになっている。
【００５６】
キャスタ１９は、図７等で示すように、本体部４３とオスネジ部２３と車輪支持部４５と車輪４７とを備えて構成されている。車輪４７のタイヤは、ゴムで構成されているが、他のものは、金属で構成されている。
【００５７】
オスネジ部２３は、本体部４３から上方に突出している。車輪支持部４５は、本体部４３から下方に突出しているとともに、上下方向に延びた軸を回動中心にして、本体部４３に対して回動自在になっている。
【００５８】
車輪４７は、水平方向に延びた軸を回動中心にして、車輪支持部４５に回転自在に支持されている。車輪４７の下端部は、車輪支持部４５よりも下方に突出している。
【００５９】
なお、キャスタ１９には、図示しないスットパ部材が設けられており、このストッパ部材を操作することで、車輪４７の車輪支持部４５に対する回転を可能にし、また、回転を不可能する切り換えがされるようになっている。
【００６０】
下側支柱部構成部材３１は、図９等で示すように、金属で円筒状に形成されている。また、円筒の下端の開口部は、中央にメスネジ部２９が貫通している円形状の部材４９で塞がれている。
【００６１】
上側支柱部構成部材３３は、図１０等で示すように、木材で構成された本体部５１と、金属で構成されたベルト支持部５３とで構成されている。
【００６２】
本体部５１は、正八角形柱状に形成されているが、本体部５１の下端部５５は、円柱状に形成されている。下端部５５の直径は、円筒状の下側支柱部構成部材３１の内径と等しくなっている。本体部５１の正八角形におけるお互いが平行になっている一対の辺の間の距離の値は、円筒状の下側支柱部構成部材３１の外径と等しいかもしくは僅かに大きくなっている。
【００６３】
ベルト支持部５３は、細い円柱状に形成されており、本体部５１の上端から上方に突出している。本体部５１の中心軸とベルト支持部５３の中心軸とはお互いが一致している。
【００６４】
ベルト１７は革で構成されており、図１１で示すように、幅方向の中央部には、長手方向で所定の間隔をあけて複数の貫通孔（革の厚さ方向を貫通している貫通孔）５７が設けられている。貫通孔５７の直径とベルト支持部５３の直径とはお互いがほぼ等しくなっている。
【００６５】
次に、太鼓用架台１の組立て手順について説明する。
【００６６】
まず、１本の下側支柱部構成部材３１と１本の上側支柱部構成部材３３とを、下側支柱部構成部材３１の上端部内に、上側支柱部構成部材３３の下端部５５を挿入し嵌合することで、１本の下側支柱部構成部材３１と１本の上側支柱部構成部材３３とをお互いに接合し、１本の支柱部構成部材７を生成する。同様にして、他の２本の支柱部構成部材７を生成する。
【００６７】
続いて、１本の基枠部構成部材５Ａの一端部の係合部１３に、他の１本の基枠部構成部材５Ｂの他端部の係合部１３を係合し、他の１本の基枠部構成部材５Ｂの一端部の係合部１３にさらなる他の１本の基枠部構成部材５Ｃの他端部の係合部１３を係合し、さらなる他の１本の基枠部構成部材５Ｃの一端部の係合部１３に１本の基枠部構成部材５Ａの他端部の係合部１３を係合する。
【００６８】
これにより、３箇所で係合部１３同士が係合してお互いが嵌り合い、３本の基枠部構成部材５Ａ、５Ｂ、５Ｃ同士の位置決めがされ、３つに角部１５を備えた正三角形辺状の基枠部９が形成される。３つに角部１５のそれぞれには、貫通孔２７が１つずつ形成されている。
【００６９】
続いて、３つのキャスタ１９のそれぞれのオスネジ部２３を、３つの貫通孔２７のそれぞれに貫通させる。この状態では、キャスタ１９の本体部４３や車輪４７が基枠部９の下方に位置しており、キャスタ１９のオスネジ部２３の上端部が、基枠部９の上面から上方に僅かに突出している。
【００７０】
続いて、支柱部構成部材７の下側支柱部構成部材３１のメスメジ部２９を上記突出しているキャスタ１９のオスネジ部２３に螺合させて、キャスタ１９の本体部４３と、支柱部構成部材７の下側支柱部構成部材３１とで、基枠部構成部材５Ａ，５Ｂ，５Ｃのお互いが重なっている係合部１３（３つの角部１５）を上下方向で締め付けることで（図７参照）、基枠部９と支柱部１１とが一体化する。
【００７１】
続いて、ベルト１７を太鼓３の側面に設けられている掛け止め部材（たとえば環状の金具）に通し、上記金具から延出しているベルト１７の一方の部位に上記金具から延出しているベルト１７の他方の部位を重ねるとともに、一方の部位に形成されているベルト１７の貫通孔５７と、他方の部位に形成されているベルト１７の貫通孔５７とをお互いに重なって連通させる。
【００７２】
続いて、ベルト１７が設置された太鼓３を持ち上げて、３本の基枠部構成部材５の内側に入れて、３本のベルト１７のお互いが重なって連通している貫通孔５７それぞれに、３本の支柱部構成部材７それぞれを下から上に向かって貫通させることで、太鼓用架台１への太鼓３の設置が終了する（図１等参照）。
【００７３】
なお、太鼓用架台１の組立後の状態を、平面視すると、図３等で示すように、支柱部１１（支柱部構成部材７）は、基枠部９の内側に位置していている。
【００７４】
太鼓用架台１に太鼓３が設置されている状態から、太鼓用架台１を分解する場合は、上述した組立て手順とは逆の手順を実行する。
【００７５】
太鼓用架台１によれば、互いが組立・分解自在である細長い複数本の構成部材５，７で構成されているので、搬送時や収納時等の非使用時に分解することでかさばることがなくなる。特に、基枠部構成部材５や支柱部構成部材７が直線状の柱形状に形成されているので、上記かさばりを一層無くすことができる。これにより、非使用時における搬送や収納が容易になる。
【００７６】
また、太鼓用架台１によれば、基枠部構成部材５や支柱部構成部材７がこれらの長手方向の端部同士で係合することで、太鼓用架台１が形成されるので、基枠部構成部材５や支柱部構成部材７の長手方向の中間部に切り欠きや貫通孔を設ける必要が無い。これにより、太鼓用架台１の剛性を高めることができる。
【００７７】
さらに、基枠部９の各角部１５は、他の部位（基枠部構成部材５の長手方向の中間部）に比べて曲げモーメント等の外力に対する剛性が高くなっており、支柱部構成部材７の長手方向の下端部が、基枠部９の各角部１５に係合して基枠部９から上方に起立している。これにより、基枠部９から上方に起立している支柱部１１の剛性（太鼓用架台１の剛性）を高めることができる。
【００７８】
また、太鼓用架台１によれば、基枠部構成部材５の長手方向の端部に形成されている係合部１３のところの凹部２５に、他の基枠部構成部材５の長手方向の端部に形成されている係合部１３が入り込んで、基枠部９の角部１５が形成されており、角部１５では、基枠部構成部材５の貫通孔２７と他の基枠部構成部材５の貫通孔２７とが連通している。そして、キャスタ１９のオスネジ部２３が、角部１５の連通している貫通孔２７を貫通して、キャスタ１９のオスネジ部２３と支柱部構成部材７のメスネジ部２９とがお互いに螺合していることで、キャスタ１９と支柱部構成部材７とによって、基枠部９の角部１５で基枠部構成部材５の係合部１３と他の基枠部構成部材５の係合部１３とが締め付け状態になっている。
【００７９】
これにより、他の締結部材を用いることなく、太鼓用架台１を組み立てることができ、部品点数を少なくすることができ、非使用時における搬送作業等がしやすくなる。
【００８０】
また、太鼓用架台１によれば、支柱部構成部材７が下側支柱部構成部材３１と上側支柱部構成部材３３とに分解することができるので、上側支柱部構成部材３３の長さと下側支柱部構成部材３１の長さと基枠部構成部材５の長さとをお互いに揃えることができるか、もしくは、長さの差を小さくすることができる。これにより、搬送等の非使用時におけるかさばりを一層抑制することができる。
【００８１】
また、太鼓用架台１によれば、基枠部９が３本の基枠部構成部材５で正三角の辺状に形成されている。これにより、固定連鎖が形成されており、基枠部９の剛性を一層高めることができる。
【００８２】
ところで、太鼓用架台１において、各基枠部構成部材５が、設置する太鼓３のサイズに応じて、長手方向の寸法が異なったものが選択されるように構成されていてもよい。
【００８３】
すなわち、太鼓用架台１の基枠部９が、複数群の基枠部構成部材５から、設置される太鼓３のサイズに合わせて選択された一群の基枠部構成部材５を多角形の辺状に組み立てることで構成されるようにしてもよい。
【００８４】
複数群の基枠部構成部材５とは、たとえば３本の基枠部構成部材によって構成されている一群（１セット）の基枠部構成部材５が、複数群（複数セット）そろっていることをいう。一群の基枠部構成部材５内では、各基枠部構成部材５の長さはお互いが等しくなっているが、異なる群の間では、基枠部構成部材５の長さはお互いが異なっている。
【００８５】
たとえば、ある１群に属する３本の基枠部構成部材５の長さは、４８０ｍｍになっているが、他の一群に属する３本の基枠部構成部材５の長さは、５５０ｍｍになっている。
【００８６】
基枠部構成部材５として、設置する太鼓３のサイズに応じて、長手方向の寸法が異なったものが選択されるようにすれば、設置される太鼓３のサイズが変わっても、支柱部構成部材７はそのまま使用し基枠部構成部材５を変えるだけで、対応することができる。
【符号の説明】
【００８７】
１  太鼓用架台
５  基枠部構成部材
７  支柱部構成部材
９  基枠部
１１  支柱部
１３  係合部
１５  角部
１９  キャスタ
２３  キャスタのネジ部
２５  凹部
２７  貫通孔
２９  支柱部構成部材のネジ部
【図１】
0006560931.tif 000002
【図２】
0006560931.tif 000003
【図３】
0006560931.tif 000004
【図４】
0006560931.tif 000005
【図５】
0006560931.tif 000006
【図６】
0006560931.tif 000007
【図７】
0006560931.tif 000008
【図８】
0006560931.tif 000009
【図９】
0006560931.tif 000010
【図１０】
0006560931.tif 000011
【図１１】
0006560931.tif 000012